(57)【特許請求の範囲】
【請求項１】
画像処理システム全体を制御するための制御信号を送信するシステム制御手段と、
画像処理プロセスを制御するプロセス制御手段と、
前記プロセス制御手段と接続され、デジタル画像データに対して画像信号処理を行う画像信号処理手段と、
前記システム制御手段と接続され、メモリへのアクセスを管理するメモリ管理手段と、
前記画像信号処理手段と前記メモリ管理手段との間で送受信される画像データ及び前記システム制御手段と前記プロセス制御手段との間で送受信される画像データあるいは制御信号を伝送するための一組の画像バスと、
当該一組の画像バスの使用権を管理する画像バス管理手段と、
を有する画像処理装置において、
前記画像信号処理手段は、前記画像バス管理手段を介して前記一組の画像バスと接続され、
前記画像バス管理手段は、前記一組の画像バスを介して前記メモリ管理手段と接続され、前記画像信号処理手段と前記一組の画像バスとの間の画像データの伝送、ならびに前記システム制御手段と前記プロセス制御手段との間の画像データの転送、及び制御信号の伝送の際の前記一組の画像バスの使用権を管理する、
ことを特徴とする画像処理装置。
【請求項２】
前記画像バス管理手段とメモリ管理手段とで転送されるデータは、複数デバイスとのデータ転送に適した予め定められた転送データ形式であることを特徴とする請求項１記載の画像処理装置。
【請求項３】
前記画像バス管理手段とメモリ管理手段との転送データ形式を、複数デバイス間の速度差によって変化させることを特徴とする請求項２記載の画像処理装置。
【請求項４】
前記画像バス管理手段とメモリ管理手段との間のデータ転送は、連続して転送される画像データを任意のデータ長の転送データに分割し、該分割された転送データに分割データの属性情報等を加えた転送データ形式で行うことを特徴とする請求項１記載の画像処理装置。
【発明の詳細な説明】
【０００１】
【発明の属する技術分野】
本発明は、原稿スキャナやデジタルカメラなどの画像読取り装置の画像信号およびパソコンやワ−プロなどの情報処理装置が生成した画像情報を、表示装置用あるいはプリンタ用の、つまり顕像出力用の画像デ−タに処理する画像処理装置に関する。この装置は例えば、情報処理装置への情報出力機能がある原稿画像スキャナ，加えて情報処理装置の情報を出力する機能があるデジタル複写機，加えてファクシミリ機能がある複写機、つまりは多機能機、に組込まれる。
【０００２】
【従来の技術】
この種のデジタル複写機における、画像読み取り信号の、スキャナの読取特性に対応した補正処理，メモリへの画像蓄積，画像編集処理，プリンタの出力特性に対応した記録濃度デ−タへの変換と補正処理，複数機能の並行動作等が、特開平８−２７４９８６号公報に提示されている。これら各種の画像処理を１つの画像処理構成で実行できるようになっている。
【０００３】
【発明が解決しようとする課題】
しかしながら、画像処理装置（画像デ−タ処理装置）の周りの、周辺ユニットの接続性の容易性，周辺ユニットの同時動作等の容易性が提供されていないのに加え、システムの有効活用という点で最適な制御構成が構築されていない。具体的には、複数のＩ／Ｏデバイスを接続した際に問題が発生する。つまり従来システムでは、接続するデバイスが複数ある場合、接続されたデバイスの数だけ画像バスを用意するか、または１組の画像バスを共有して使うことになる。画像信号は、デバイスが動作開始すると転送を中断することができない場合が多いため、この点をあわせて考慮すると、画像バスの構成および画像データの転送方法は、多機能システム全体の性能を左右するほど重要である。
【０００４】
メモリを持たない入力デバイスからの画像信号およびメモリを持たない出力デバィスへの画像信号は、基本的に画像転送が開始されたら途中で転送を中断させることはできない（画像データの転送条件）。よって、複数のユニット（例えば原稿スキャナとプリンタ）を同時に動作させる場合に、両者が同じ速度で動作する場合においては画像は連続的に流すことができるため、メモリ等の速度緩衝部を必要としない。逆に言えば動作速度が異なる場合にはメモリ等の速度緩衝部が必要となる。これはメモリが必要となるので不利と思われるが、入，出力デバイスが互いに相手のことを考えずに独立に動作可能であることを考えると、逆に大きなメリットである。
【０００５】
このようなメモリを介在したシステムにおいては、メモリとデバイス間でのデータ転送が課題となる。入，出力デバイスの動作速度が異なる場合、画像データの転送条件を考慮すると、単純に考えて各々の画像バスが必要となってしまう。この場合単純に回路規模が大きくなるためハードウェアで実現する際にコスト面で問題となる。
【０００６】
画像バスの数を低減し共用することを考えた場合、画像信号はデバイスが動作開始すると転送を中断することはできない場合が多いため、バスの使い方をかなり工夫しなければならないという制御上の新たな問題が発生する。
【０００７】
また、入，出力デバイスの動作速度が異なった場合、全デバイスが適合するデータ転送を行う場合には、最も遅い速度に準じてしまうため、システム全体の動作が遅くなるという問題がある。
【０００８】
本発明は、画像バスの本数を増やすことなく複数のデバイスとメモリとのデータ転送を容易に制御することを第１の目的とし、１組の画像バスで容易にデータ転送を可能とすることを第２の目的とし、これをシステムの実効速度を落とすことなく実現することを第３の目的とし、転送デ−タ形式を簡潔にして複数デバイス間転送の汎用性を高くすることを第４の目的とする。
【０００９】
【課題を解決するための手段】
（１）画像処理システム全体を制御するための制御信号を送信するシステム制御手段(6)と、
画像処理プロセスを制御するプロセス制御手段(1)と、
前記プロセス制御手段と接続され、デジタル画像データに対して画像信号処理を行う画像信号処理手段(IPP)と、
前記システム制御手段と接続され、メモリ(MEM)へのアクセスを管理するメモリ管理手段(IMAC)と、
前記画像信号処理手段と前記メモリ管理手段との間で送受信される画像データ及び前記システム制御手段と前記プロセス制御手段との間で送受信される画像データあるいは制御信号を伝送するための一組の画像バス(Pb)と、
当該一組の画像バスの使用権を管理する画像バス管理手段(CDIC)と、
を有する画像処理装置において、
前記画像信号処理手段(IPP)は、前記画像バス管理手段(CDIC)を介して前記一組の画像バス(Pb)と接続され、
前記画像バス管理手段(CDIC)は、前記一組の画像バス(Pb)を介して前記メモリ管理手段(IMAC)と接続され、前記画像信号処理手段(IPP)と前記一組の画像バス(Pb)との間の画像データの伝送、ならびに前記システム制御手段(6)と前記プロセス制御手段(1)との間の画像データの転送、及び制御信号の伝送の際の前記一組の画像バス(Pb)の使用権を管理する、
ことを特徴とする画像処理装置。なお、理解を容易にするためにカッコ内には、図面に示し後述する実施例の対応要素の符号を、参考までに付記した。
【００１０】
これによれば、画像信号処理手段(IPP)と画像バス(Pb)とのインターフェイスを、画像バス管理手段(CDID)が管理すると共に、メモリ管理手段(IMAC)がメモリ(MEM)へのアクセスを管理し、両者(CDID,IMAC)が１本の画像バス(Pb)で結ばれているので、画像バスの本数を増やすことなく、画像信号処理手段(IPP)とメモリ(MEM)とのデータ転送を容易に制御できる。システム制御手段(6)と前記プロセス制御手段(1)との間の画像データの転送、及び制御信号の通信も画像バス管理手段(CDIC)で管理できる。
【００１１】
【発明の実施の形態】
（２）前記画像バス管理手段(CDID)とメモリ管理手段(IMAC)とで転送されるデータは、複数デバイスとのデータ転送に適した予め定められた転送データ形式である。これにより、容易に１本の画像バスでのデータ転送を可能とする。
【００１２】
（３）前記画像バス管理手段とメモリ管理手段との転送データ形式を、複数デバイス間の速度差によって変化させる。これにより、システムの実行速度を落とすことなく容易に１本の画像バスでのデータ転送を可能とする。
【００１３】
（４）前記画像バス管理手段(CDID)とメモリ管理手段(IMAC)との間のデ−タ転送は、連続して転送される画像データを任意のデータ長の転送データに分割し、該分割された転送データに分割元データの属性情報等を加えた転送データ形式で行う。これにより、拡張性が富むと共に容易に１本の画像バスでのデータ転送を可能とする。
【００１４】
本発明の他の目的および特徴は、図面を参照した以下の実施例の説明より明らかになろう。
【００１５】
【実施例】
−第１実施例−
図１に、本発明の第１実施例の、複合機能があるデジタル複写機の構成を示す。原稿を光学的に読み取る原稿スキャナＳＣＲは、読み取りユニット４にて、原稿に対するランプ照射の反射光をミラー及びレンズにより受光素子に集光する。受光素子（本実施例ではＣＣＤ）は、センサー・ボード・ユニットＳＢＵ（以下単にＳＢＵと称す）にあり、ＣＣＤに於いて電気信号に変換された画像信号は、ＳＢＵ上でディジタル信号すなわち読取った画像デ−タに変換された後、ＳＢＵから、圧縮／伸張及びデータインターフェース制御部ＣＤＩＣ（以下単にＣＤＩＣと称す）に出力される。
【００１６】
すなわちＳＢＵから出力される画像デ−タは、ＣＤＩＣに入力される。機能デバイス及びデータバス間における画像データの伝送は、ＣＤＩＣが全て制御する。すなわちＣＤＩＣは、画像データに関し、ＳＢＵ，パラレルバスＰｂ，画像信号処理装置ＩＰＰ（以下単にＩＰＰと称す）間のデータ転送、ならびに、図１に示すデジタル複写機全体制御を司るシステムコントローラ６と、プロセスコントローラ１間の、画像データ転送およびその他の制御に関する通信を行う。システムコントローラ６とプロセスコントローラ１は、パラレルバスＰｂ，ＣＤＩＣ及びシリアルバスＳｂを介して相互に通信を行う。ＣＤＩＣは、その内部に於いてパラレルバスＰｂとシリアルバスＳｂとのデータインターフェースのためのデータフォーマット変換を行う。
【００１７】
ＳＢＵからの読取り画像デ−タは、ＣＤＩＣを経由してＩＰＰに転送され、ＩＰＰが、光学系及びディジタル信号への量子化に伴う信号劣化（スキャナ系の信号劣化：スキャナ特性による読取り画像デ−タの歪）を補正し、再度ＣＤＩＣへ出力する。ＣＤＩＣは、該画像デ−タを複合機能コントロ−ラＭＦＣに転送してメモリＭＥＭに書込む。又は、ＩＰＰの、プリンタ出力のための処理系に戻す。
【００１８】
すなわち、ＣＤＩＣには、読取り画像デ−タをメモリＭＥＭに蓄積して再利用するジョブと、メモリＭＥＭに蓄積しないでビデオ・データ制御ＶＤＣ（以下、単にＶＤＣと称す）に出力してレ−ザプリンタＰＲＲで作像出力するジョブとがある。メモリＭＥＭに蓄積する例としては、１枚の原稿を複数枚複写する場合、読み取りユニット４を１回だけ動作させ、読取り画像デ−タをメモリＭＥＭに蓄積し、蓄積データを複数回読み出す使い方がある。メモリＭＥＭを使わない例としては、１枚の原稿を１枚だけ複写する場合、読取り画像デ−タをそのままプリンタ出力用に処理すれば良いので、メモリＭＥＭへの書込みを行う必要はない。
【００１９】
まず、メモリＭＥＭを使わない場合、ＩＰＰからＣＤＩＣへ転送された画像データは、再度ＣＤＩＣからＩＰＰへ戻される。ＩＰＰに於いてＣＣＤによる輝度データを面積階調に変換するための画質処理（図２の１５）を行う。画質処理後の画像データはＩＰＰからＶＤＣに転送する。面積階調に変化された信号に対し、ドット配置に関する後処理及びドットを再現するためのパルス制御をＶＤＣで行い、レ−ザプリンタＰＲＲの作像ユニット５に於いて転写紙上に再生画像を形成する。
【００２０】
メモリＭＥＭに蓄積し、それからの読み出し時に付加的な処理、例えば画像方向の回転，画像の合成等を行う場合は、ＩＰＰからＣＤＩＣへ転送されたデータは、ＣＤＩＣからパラレルバスＰｂを経由して画像メモリアクセス制御ＩＭＡＣ（以下単にＩＭＡＣと称す）に送られる。ここではシステムコントローラ６の制御に基づき画像データとメモリモジュ−ルＭＥＭ（以下単にＭＥＭと称す）のアクセス制御，外部パソコンＰＣ（以下単にＰＣと称す）のプリント用データの展開（文字コ−ド／キャラクタビット変換），メモリ有効活用のための画像データの圧縮／伸張を行う。ＩＭＡＣへ送られたデータは、データ圧縮後ＭＥＭへ蓄積し、蓄積データを必要に応じて読み出す。読み出しデータは伸張し、本来の画像データに戻しＩＭＡＣからパラレルバスＰｂ経由でＣＤＩＣへ戻される。
【００２１】
ＣＤＩＣからＩＰＰへの転送後は、ＩＰＰでの画質処理及びＶＤＣでのパルス制御を行い、作像ユニット５に於いて転写紙上に顕像（トナ−像）を形成する。
【００２２】
画像データの流れに於いて、パラレルバスＰｂ及びＣＤＩＣでのバス制御により、デジタル複写機の複合機能を実現する。複合機能の１つであるＦＡＸ送信機能は、スキャナＳＣＲの読取り画像データをＩＰＰにて画像処理を実施し、ＣＤＩＣ及びパラレルバスＰｂを経由してＦＡＸ制御ユニットＦＣＵ（以下単にＦＣＵと称す）へ転送する。ＦＣＵにて公衆回線通信網ＰＮ（以下単にＰＮと称す）へのデータ変換を行い、ＰＮへＦＡＸデータとして送信する。ＦＡＸ受信は、ＰＮからの回線データをＦＣＵにて画像データへ変換し、パラレルバスＰｂ及びＣＤＩＣを経由してＩＰＰへ転送される。この場合特別な画質処理は行わず、ＶＤＣにおいてドット再配置及びパルス制御を行い、作像ユニット５に於いて転写紙上に顕像を形成する。
【００２３】
複数ジョブ、例えばコピー機能，ＦＡＸ送受信機能およびプリンタ出力機能、が並行に動作する状況に於いて、読み取りユニット４、作像ユニット５及びパラレルバスＰｂ使用権のジョブへの割り振りを、システムコントローラ６およびプロセスコントローラ１にて制御する。
【００２４】
プロセスコントローラ１は、画像データの流れを制御し、システムコントローラはシステム全体を制御し、各リソースの起動を管理する。このデジタル複合機能複写機の機能選択は、操作ボ−ドＯＰＢにて選択入力し、コピー機能，ＦＡＸ機能等の処理内容を設定する。
【００２５】
図２に、ＩＰＰの画像処理機能の概要を示す。読取り画像デ−タは、ＳＢＵからＣＤＩＣを介してＩＰＰの入力Ｉ／Ｆ（インタ−フェイス）１１からスキャナ画像処理１２へ伝達される。読取りによる画像情報の劣化の補正を主目的にして、スキャナ画像処理１２は、シェーディング補正，スキャナγ補正およびＭＴＦ補正等を行う。補正処理ではないが、拡大／縮小の変倍処理も行う。読取り画像データの補正処理終了後、出力Ｉ／Ｆ１３を介してＣＤＩＣへ画像データを転送する。転写紙への出力は、ＣＤＩＣからの画像データを入力Ｉ／Ｆ１４より受け、画質処理１５に於いて面積階調処理を行う。画質処理後のデータは出力Ｉ／Ｆ１６を介してＶＤＣへ出力される。面積階調処理は、濃度変換，ディザ処理，誤差拡散処理等が有り、階調情報の面積近似を主な処理とする。
【００２６】
一旦スキャナ画像処理１２を施した画像データをメモリＭＥＭに蓄積しておけば、画質処理１５で施す処理を変える事によって種々の再生画像を確認することができる。例えば再生画像の濃度を振ってみたり、ディザマトリクスの線数を変更してみたりする事で、再生画像の雰囲気を変更できる。この時処理を変更する度に画像をスキャナＳＣＲで読み込み直す必要はなく、ＭＥＭから格納画像を読み出せば同一データに対し、何度でも異なる処理を実施できる。
【００２７】
図３に、ＣＤＩＣの機能構成の概要を示す。画像データ入出力制御２１は、ＳＢＵからの読取り画像データを入力し、ＩＰＰに対してデータを出力する。画像データ入力制御２２には、ＩＰＰで、スキャナ画像処理１２でスキャナ画像補正された画像データが入力される。入力データは、パラレルバスＰｂでの転送効率を高めるためにデータ圧縮部２３に於いて、データ圧縮を行う。圧縮した画像デ−タは、パラレルデータＩ／Ｆ２５を介してパラレルバスＰｂへ送出される。パラレルデータバスＰｂからパラレルデータＩ／Ｆ２５を介して入力される画像データは、バス転送のために圧縮されており、データ伸張部２６で伸張される。伸張された画像データは、画像データ出力制御２７によってＩＰＰへ転送される。ＣＤＩＣは、パラレルデータとシリアルデータの変換機能を併せ持つ。システムコントローラ６は、パラレルバスＰｂにデータを転送し、プロセスコントローラ１は、シリアルバスＳｂにデータを転送する。２つのコントローラ６，１の通信のために、デ−タ変換部２４およびシリアルデ−タＩ／Ｆ２９で、パラレル／シリアルデータ変換を行う。シリアルデータＩ／Ｆ２８は、ＩＰＰ用であり、ＩＰＰともシリアルデ−タ転送する。
【００２８】
図４に、ＶＤＣの機能構成の概要を示す。ＶＤＣは、ＩＰＰから入力される画像データに対し作像ユニット５の特性に応じて、追加の処理を行う。エッジ平滑処理によるドットの再配置処理，ドット形成のための画像信号のパルス制御を行い、画像データは作像ユニット５を対象として出力される。画像データの変換とは別に、パラレルデータとシリアルデータのフォーマット変換機能３３〜３５を併せ持ち、ＶＤＣ単体でもシステムコントローラ６とプロセスコントローラ１の通信に対応できる。
【００２９】
図５に、ＩＭＡＣの機能構成の概略を示す。パラレルデータＩ／Ｆ４１に於いて、パラレルバスＰｂに対する画像データの入，出力を管理し、ＭＥＭへの画像データの格納／読み出しと、主に外部のＰＣから入力されるコードデータの画像データへの展開を制御する。ＰＣから入力されたコードデータは、ラインバッファ４２に格納する。すなわち、ローカル領域でのデータの格納を行い、ラインバッファ４２に格納したコードデータは、システムコントローラＩ／Ｆ４４を介して入力されたシステムコントローラ６からの展開処理命令に基づき、ビデオ制御４３に於いて画像データに展開する。展開された画像データもしくはパラレルデータＩ／Ｆ４１を介してパラレルバスＰｂから入力された画像データは、ＭＥＭに格納される。この場合、データ変換部４５に於いて格納対象となる画像データを選択し、データ圧縮部４６においてメモリ使用効率を上げるためにデータ圧縮を行い、メモリアクセス制御部４７にてＭＥＭのアドレスを管理しながらＭＥＭに画像データを格納する。ＭＥＭに格納された画像データの読み出しは、メモリアクセス制御部４７にて読み出し先アドレスを制御し、読み出された画像データをデータ伸張部４８にて伸張する。伸張された画像データをパラレルバスＰｂへ転送する場合、パラレルデータＩ／Ｆ４１を介してデータ転送を行う。
【００３０】
図６にＦＣＵの機能構成の概要を示す。ＦＡＸ送受信部ＦＣＵは、画像データを通信形式に変換して外部回線ＰＮに送信し、又、外部回線ＰＮからのデータを画像データに戻して外部Ｉ／Ｆ部５１及びパラレルバスＰｂを介して作像ユニット５において記録出力する。ＦＡＸ送受信部ＦＣＵは、ＦＡＸ画像処理５２，画像メモリ５３，メモリ制御部５５，ファクシミリ制御部５４，画像圧縮伸張５６，モデム５７及び網制御装置５８からなる。この内、ＦＡＸ画像処理５２に関し、受信画像に対する二値スムージング処理は、ＶＤＣのエッジ平滑処理３１において行う。又画像メモリ５３に関しても、出力バッファ機能に関してはＩＭＡＣ及びＭＥＭでその機能の一部をおぎなう。
【００３１】
この様に構成されたＦＡＸ送受信部ＦＣＵでは、画像情報の伝送を開始するとき、ファクシミリ制御部５４がメモリ制御部５５に指令し、画像メモリ５３から蓄積している画像情報を順次読み出させる。読み出された画像情報は、ＦＡＸ画像処理５２によって元の信号に復元されるとともに、密度変換処理及び変倍処理がなされ、ファクシミリ制御部５４に加えられる。ファクシミリ制御部５４に加えられた画像信号は、画像圧縮伸張部５６によって符号圧縮され、モデム５７によって変調された後、網制御装置５８を介して宛先へと送出される。そして、送信が完了した画像情報は、画像メモリ５３から削除される。
【００３２】
受信時には、受信画像は一旦画像メモリ５３に蓄積され、その時に受信画像を記録出力可能であれば、１枚分の画像の受信を完了した時点で記録出力される。又、複写動作時に発呼されて受信を開始したときは、画像メモリ５３の使用率が所定値、例えば８０％に達するまでは画像メモリ５３に蓄積し、画像メモリ５３の使用率が８０％に達した場合には、その時に実行している書き込み動作を強制的に中断し、受信画像を画像メモリ５３から読み出し記録出力させる。このとき画像メモリ５３から読み出した受信画像は画像メモリ５３から削除し、画像メモリ５３の使用率が所定値、例えば１０％まで低下した時点で中断していた書き込み動作を再開させ、その書き込み動作を全て終了した時点で、残りの受信画像を記録出力させている。又、書き込み動作を中断した後に、再開できるように中断時に於ける書き込み動作のための各種パラメータを内部的に退避させ、再開時に、パラメータを内部的に復帰させる。
【００３３】
以上の例において、画像バス管理手段であるＣＤＩＣとメモリ管理手段であるＩＭＡＣは、１組の画像バスであるパラレルバスＰｂで接続されている。各独立した、画像読みとり手段であるＳＢＵ、書き込み手段であるＶＤＣおよび画像信号処理手段であるＩＰＰは直接画像バスＰｂに接続せずに画像バス管理手段ＣＤＩＣに接続するため、事実上、画像バスＰｂの使用管理は、画像バス管理手段ＣＤＩＣとメモリ管理手段ＩＭＡＣによってのみ行われる。よってバスＰｂの調停や転送の制御が容易であり、かつ効率的である。
【００３４】
次に、画像データの転送形式の実施態様を示す。その第１態様では、図７の（ａ）および（ｂ）に示すデ−タフレ−ムで転送する。データＡは読取りデータを、データＢは画像処理データを、データＣは書き込みデータを示す。なお、データＢは双方向の転送があるが、データＡおよびデータＣは片方向で、かつ相反する方向である。図７の（ａ）および（ｂ）の例は、入，出力デバイス側からメモリへ（ＣＤＩＣからＩＭＡＣへ）の転送では、ＡＢＡＢＡＢＡＢ・・・の順で、逆にメモリから入出力デバイス側へ（ＩＭＡＣからＣＤＩＣへ）の転送では、ＢＣＢＣＢＣＢＣ・・・の順でデータが並べられ、各々のデータ（Ａ，Ｂ，Ｃ）の長さは予め定められており、また全体のデータ列の長さも定められている。なお、データの並びは便宜上、２つのものを１：１に並べてあるが、これはメモリ管理手段ＩＭＡＣと画像バス管理手段ＣＤＩＣとで任意に決定して構わない。また、２つと限らずそれ以上のデータでも構わない。このようにデータ形式を予め定めておけば、受け取ったデータから正確に各々のデータに復元することが可能である。
【００３５】
画像データの転送形式の第２態様を図７の（ｃ）に示す。これは、第１態様を改良してデ−タ転送をさらに効率化したもので、データ列を形成する際に転送データの速度差を考慮して各データの比率を変化させることが特徴である。図７の（ｃ）は、画像信号処理手段ＩＰＰへの転送速度が書き込み手段（ＶＤＣ，５）への転送速度の２倍の速度が要求された場合の例で、この場合は転送データ形式は、ＢＢＣＢＢＣＢＢＣＢＢＣ・・・とする。このようにすれば１つのデータ列からＢはＣに比べて２倍のデータ量を復元できるので、結果的にはＢはＣの２倍の速度で転送が可能になる。
【００３６】
画像データの転送形式の第３態様を図７の（ｄ）に示す。これは第１および第２態様とは異なり、予め画像バス管理手段ＣＤＩＣとメモリ管理手段ＩＭＡＣとで厳密にデータの転送形式を規定せず、大きさや属性はデータ列の先頭に予め定められた情報Ｈを付加することで行う。本例では、該付加情報Ｈにはデータの種類ｔｙｐｅおよび大きさｓｉｚｅが記されている。この第３態様によれば転送データ量を任意にしても受け手側で問題なくデータの識別が可能になる。
【００３７】
−第２実施例−
図８に本発明の第２実施例を示す。これは、ＰＣとインタ−フェ−スできる単体スキャナであり、システム構成に於いて第１実施例の複合機能のデジタル複写機と大きく異なる点は、作像ユニット５が無い事、すなわちプリンタ機能がないことである。作像ユニット５が不要なのでＶＤＣも装着されない。
【００３８】
スキャナＳＣＲに於いて読み込まれた画像は、ＳＢＵに於いて画像デ−タに変えられて、ＣＤＩＣを介してＩＰＰに転送された後、単体スキャナで要求される画像処理を行う。ＩＰＰは、スキャナ画像処理と階調処理を合せて実施し、ＣＤＩＣへ出力する。読取り画像の劣化補正がメインになるが、ＰＣの出力画面としての表示装置に適する表示出力用の階調処理を行う。転写紙を対象とした印刷出力用の画質処理とは異なる処理が多い。この際ＩＰＰをプログラマブルな演算処理装置で構成する事で、印刷出力用の画質処理、表示出力用の階調処理に関し、必要な処理手順のみを設定すればよく、画質処理の手順と階調処理の手順を常に両方持ち合わせる必要はないという構成も可能である。
【００３９】
階調処理後の画像データはＣＤＩＣへ転送され、パラレルバスＰｂを経由してＩＭＡＣに送られる。バッファメモリとしてＭＥＭを使用し、ＰＣに付属するドライバに対し画像データを転送する事で、スキャナ機能を実現する。複合機能のデジタル複写機の場合と同様に、システムコントローラ６とプロセスコントローラ１により画像データ及びシステムのリソース管理を行う。ＩＭＡＣ／ＣＤＩＣ間の画像データの転送形式は、上述の第１態様，第２態様又は第３態様で行なう。
【図面の簡単な説明】
【図１】  本発明の第１実施例の構成を示すブロック図である。
【図２】  図１に示す画像信号処理装置ＩＰＰの機能構成を示すブロック図である。
【図３】  図１に示す圧縮／伸張及びデ−タインタ−フェ−ス制御部ＣＤＩＣの機能構成を示すブロック図である。
【図４】  図１に示すビデオ・デ−タ制御ＶＤＣの機能構成を示すブロック図である。
【図５】  図１に示す画像メモリアクセス制御ＩＭＡＣの機能構成を示すブロック図である。
【図６】  図１に示すＦＡＸ送受信部ＦＣＵの機能構成を示すブロック図である。
【図７】  図１に示すＣＤＩＣとＩＭＡＣのとの間の画像デ−タ転送のフレ−ム構成を示す平面図であり、（ａ）および（ｂ）は第１態様のものを、（ｃ）は第２態様のものを、（ｄ）は第３態様のものを示す。
【図８】  本発明の第２実施例の構成を示すブロック図である。
【符号の説明】
ＩＰＰ：画像信号処理装置
ＣＤＩＣ：圧縮／伸張及びデ−タインタ−フェ−ス制御部
ＶＤＣ：ビデオ・デ−タ制御
ＩＭＡＣ：画像メモリアクセス制御
ＦＣＵ：ＦＡＸ送受信部
ＳＢＵ：センサ−・ボ−ド・ユニット
ＰＮ：公衆回線
【図１】
0003825796.tif 000002
【図２】
0003825796.tif 000003
【図３】
0003825796.tif 000004
【図４】
0003825796.tif 000005
【図５】
0003825796.tif 000006
【図６】
0003825796.tif 000007
【図７】
0003825796.tif 000008
【図８】
0003825796.tif 000009